(57)【特許請求の範囲】
【請求項１】
同一平面内に外周面同士を接しつつ複数個配置する形で、ロール状に形成された被収納物を収納した包装袋であって、
ロール状に形成された被収納物の配置が、１段当たり４個並びで３段重ねにした配置又は１段当たり２個並びであって３段重ねにした配置であり、
被収納物の外周面を覆う側面領域における、同一平面内に配置された被収納物間の部分のみに、被収納物の上端面を覆う天面領域に隣り合った部分から、被収納物の軸方向に沿って直線状に伸びるように被収納物２段分の長さのミシン目が形成されたことを特徴とする包装袋。
【請求項２】
ミシン目のタイカット比が、１：４〜１：１５の範囲の値とされたことを特徴とする請求項１記載の包装袋。
【発明の詳細な説明】
【技術分野】
【０００１】
本発明は、力の弱い消費者でも開封し易くしつつ、持ち運び時に破断し難い包装袋に関し、トイレットペーパーやキッチンペーパー等の衛生用品の包装に好適なものである。
【背景技術】
【０００２】
従来、ロール状のトイレットペーパー等の衛生用品の販売に際して、複数のトイレットペーパー等の被収納物をまとめて包装袋に収納することが一般的であり、また、収納する為の包装袋を形成する材料として、軟質であり且つ強度が高いプラスチック製のパッケージフィルムが一般に使用されていた。
【０００３】
そして、把持用の取手部を上部に有した包装袋内における、トイレットペーパーの収納形態として、例えば１段当たり４個並びであって３段重ねにされて合計１２個のトイレットペーパーが収納される場合や、１段当たり２個並びであって３段重ねとされて計６個のトイレットペーパーが収納される場合等が有り、複数個のトイレットペーパーを段積みして包装した形で、店頭において販売に供されるようになっていた。
【０００４】
つまり、販売の前後において不用意に破断しないように、高い強度を有するプラスチック製のパッケージフィルムを包装材として使用していることから、トイレットペーパーの使用時における包装袋の開封が困難となる虞が生じるようになる。この為、包装袋を無理矢理破断して開放する必要が生じるようになる結果として、開封後の包装袋の見栄えが一般的に良くなかった。
【０００５】
これに対して、取手部の周辺にミシン目を設けてこのミシン目の部分から包装袋を開放するようにしたものや、包装袋の下部にミシン目を設けてこの部分から開放するようしたもの等の、改善策がとられた包装袋が知られている。
【先行技術文献】
【特許文献】
【０００６】
【特許文献１】特開2009-035323号公報
【特許文献２】特開2008-239224号公報
【特許文献３】特開2006-347581号公報
【特許文献４】特開2004-269009号公報
【特許文献５】特開2004-269010号公報
【発明の概要】
【発明が解決しようとする課題】
【０００７】
しかし、包装袋にミシン目を設けた場合には、この包装袋にトイレットペーパーを収納した状態で持ち運んだりする際に力が加わって、ミシン目から不用意に破断したりする欠点があった。この一方、ミシン目の切り込み幅を狭くして不用意な破断を防止することも考えられるものの、この場合には高齢者などの力の弱い消費者には開封し難くなるのに伴い、中身のトイレットペーパーを取り出し難くなる欠点を有するようになる。
【０００８】
以上より、本発明の主たる課題は、力の弱い消費者でも開封し易くしつつ、持ち運び時に破断し難い包装袋を提供することにある。
【課題を解決するための手段】
【０００９】
請求項１に係る包装袋は、  同一平面内に外周面同士を接しつつ複数個配置する形で、ロール状に形成された被収納物を収納した包装袋であって、
ロール状に形成された被収納物の配置が、１段当たり４個並びで３段重ねにした配置又は１段当たり２個並びであって３段重ねにした配置であり、
被収納物の外周面を覆う側面領域における、同一平面内に配置された被収納物間の部分のみに、被収納物の上端面を覆う天面領域に隣り合った部分から、被収納物の軸方向に沿って直線状に伸びるように被収納物２段分の長さのミシン目が形成されたことを特徴とする。
【００１０】
請求項１に係る包装袋の作用を以下に説明する。
本請求項の包装袋によれば、同一平面内に外周面同士を接しつつ複数個配置する形で、ロール状に形成された被収納物が、１段当たり４個並びで３段重ねにした配置又は１段当たり２個並びであって３段重ねにした配置で収納されている。そして、被収納物の外周面を覆う包装袋の側面領域における、同一平面内に配置された被収納物間の部分にのみ、ミシン目が形成されている。
【００１１】
従って、本請求項に係る包装袋によれば、包装袋の上面に通常存在する取手部から被収納物ごと包装袋を持ち上げたときでも、張力が加わり難い部分となる包装袋の側面領域における同一平面内に配置されている被収納物間の部分に、ミシン目を配置したことで、被収納物が収納された状態の包装袋を持ち運ぶ際に、ミシン目から包装袋が不用意に破断することがなくなる。
【００１２】
他方、本請求項に係る包装袋の開封に際しては、ミシン目の切り込み幅を小さくする必要が無くなるので、高齢の消費者などの力の弱い消費者でもミシン目から包装袋を開封し易くなって、中身のロール状の被収納物を包装袋から取り出し易くなる。
【００１３】
また、本請求項では、ミシン目が、被収納物の軸方向に沿って直線状に伸びるように形成されたという構成を有している。
【００１４】
つまり、本請求項によれば、力の弱い消費者が開封可能なミシン目とする必要があるのに対して、ロール状に形成された被収納物の軸方向に沿って直線状に伸びるように、ミシン目が形成されている。このことから、例えば被収納物の軸方向に対して交叉する方向にミシン目が形成された場合と比較して、必要なミシン目の長さを容易に確保できるようになる。
【００１５】
また、本請求項では、被収納物の上端面を覆う天面領域に隣り合った部分から側面領域内にミシン目が形成されたという構成を有している。
【００１６】
つまり、本請求項によれば、包装袋の天面領域に隣り合った部分からミシン目が側面領域内に形成されている。このことから、例えば包装袋の側面領域の最下部にのみミシン目が形成されたりした場合と比較して、必要な長さのミシン目をより容易に確保し易くなる。
【００１７】
請求項２に係る包装袋の作用を以下に説明する。
本請求項に係る包装袋は請求項１から請求項３の発明と同一の作用を奏する。但し、本請求項では、ミシン目のタイカット比が、１：４〜１：１５の範囲の値とされたという構成を有している。
【００１８】
つまり、本請求項によれば、ミシン目のタイカット比を１：４より小さくした場合には、ミシン目を破断し難くなる。他方、ミシン目のタイカット比を１：１５より大きくした場合には、包装袋を持ち運ぶ際にこのミシン目の部分から包装袋が不用意に破断し易くなる。この為、ミシン目のタイカット比の範囲を上記の値の範囲とした。
【発明の効果】
【００１９】
以上のとおり本発明の包装袋によれば、力の弱い消費者でも開封し易くしつつ、持ち運び時に破断し難いという優れた効果を奏するようになる。
【図面の簡単な説明】
【００２０】
【図１】本発明に係る包装袋の一実施の形態を示す斜視図である。
【図２】本発明に係る包装袋の一実施の形態を示す正面図である。
【図３】本発明に係る包装袋の一実施の形態を示す平面図である。
【図４】本発明に係る包装袋の一実施の形態に適用されるミシン目を拡大して示す拡大図である。
【発明を実施するための形態】
【００２１】
以下、本発明に係る包装袋の一実施の形態を図１から図４に示し、これら図面を参照しつつ本実施の形態を詳細に説明する。
本実施の形態に係る包装袋１０は、延伸加工された厚さ０．０３ｍｍの延伸フィルムであるポリエチレン等のプラスチックフィルムまたはシートを筒状に形成した包装材により構成されている。図１に示すように、この筒状の包装袋１０は、その両側端面１６、１８が内方へ折り込まれたガセット袋とされ、各袋の長さ毎に溶断することで、完成されている。つまり、この包装袋１０を形成する包装材は、前面１２、背面１４及び側端面１６、１８を有しており、両側端面１６、１８には内側に折り込まれる折り目Ｌがそれぞれ形成されている。
【００２２】
被収納物が収納されている包装袋１０の製造に際し、この包装材の下側の溶着時には、側端面１６、１８を前面１２と背面１４の下端とともに積層して一端がシールされて、下側に位置する底部２２が形成される。また、この包装材の上側の溶着時には、被収納物であるトイレットペーパー３０の収納後に、側端面１６、１８を前面１２と背面１４の上端とともに積層して上側に位置する所要幅の取手部２４を形成するのに伴い、この取手部２４がシールされる。そして、この取手部２４には、手指を掛けるための２つの手掛け孔２６が打ち抜きにより形成されている。
【００２３】
他方、これら底部２２と取手部２４との間には、トイレットペーパー３０を収納する為の空間を内部に筒状に有した包装袋１０の本体部１０Ａが位置し、この本体部１０Ａを構成する前面１２、背面１４及び側端面１６、１８の部分が、トイレットペーパー３０の外周面３０Ａを覆う包装袋１０の側面領域２０を形成している。
【００２４】
本実施の形態では、図１から図３に示すように１２個のロール状に形成されたトイレットペーパー３０が、同一平面内においてその外周面３０Ａ同士を接しつつ複数個である４個配置される形で、４個ずつ３段に重ねてこの本体部１０Ａ内に収納されている。さらに、この包装袋１０の本体部１０Ａと取手部２４との間には、トイレットペーパー３０の上端面を覆う部分とされる天面領域２８が、これら前面１２及び背面１４により同様に形成されている。
【００２５】
図１から図３に示すように、前記側面領域２０の内の前面１２の箇所の中央部であってロール非接触部Ｃとされる、各段に配置された４個のトイレットペーパー３０の内の前側の２個のトイレットペーパー３０間の部分にのみ、ミシン目３２が形成されている。すなわち、本実施の形態の包装袋１０では、同一平面内に配置された２個のトイレットペーパー３０間の部分とされる、側面領域２０の内の前面１２箇所のロール非接触部Ｃにのみ、ミシン目３２が形成されていることになる。
【００２６】
そして、このミシン目３２は、側面領域２０の最上部である天面領域２８に隣り合った側面領域２０の端部を始点として、この部分からトイレットペーパー３０の軸方向（図２におけるＺ方向）に沿って直線状に下側に向かって伸びるように、トイレットペーパー３０が二段重ねられた長さである２２８ｍｍ程度の長さＳだけ形成されている。また、この際のミシン目３２のタイカット比は、１：４〜１：１５の範囲の値とされている。
【００２７】
つまり、図４に示すように、例えばミシン目３２の切り込み長さＬを５．０ｍｍ、間隔Ｔを１．０ｍｍとすることで、ミシン目３２のタイカット比を１：５とした。ここで、タイカット比とは、ミシン目３２の間隔Ｔとミシン目３２の切り込み長さＬとの比率であり、Ｔ：Ｌとされるタイカット比のＴに対してのＬの値が相対的に小さいほど切り離しにくく、Ｔに対してのＬの値が相対的に大きいほど切り離し易くなる。すなわち、このタイカット比によれば、Ｔに対してＬが小さいほど、ミシン目３２における引張強度（ＪＩＳＰ８１１３）が高くなる。
【００２８】
尚、本実施の形態に係る包装袋１０の大きさは、包装袋１０内においてトイレットペーパー３０が開封前に崩れることがないような大きさに設定されている。つまり、好ましくはほぼぴったりとトイレットペーパー３０を包むように、包装袋１０の寸法が定められている。
【００２９】
次に、本実施の形態に係る包装袋１０の作用を説明する。
本実施の形態の包装袋１０によれば、同一平面内に外周面３０Ａ同士を接しつつ４個配置する形で、ロール状に形成された被収納物であるトイレットペーパー３０が収納されている。
【００３０】
そして、トイレットペーパー３０の外周面３０Ａを覆う包装袋１０の側面領域２０における、同一平面内に配置されたトイレットペーパー３０間の前面１２部分であってトイレットペーパー３０と接触していないロール非接触部Ｃにのみ、ミシン目３２が形成されているが、この際、包装袋１０の天面領域２８に隣り合った部分から、トイレットペーパー３０の軸方向に沿って直線状に伸びるように、このミシン目３２は側面領域２０に形成されている。
【００３１】
従って、本実施の形態に係る包装袋１０によれば、取手部２４からトイレットペーパー３０ごと包装袋１０を持ち上げて持ち運ぶときでも、張力が加わり難い部分となる、包装袋１０の側面領域２０における同一平面内に配置されているトイレットペーパー３０相互間の部分に、ミシン目３２が配置されることになる。このことから、トイレットペーパー３０が収納された状態の包装袋１０を持ち運ぶ際に、ミシン目３２から包装袋１０が不用意に破断することがなくなる。
【００３２】
他方、本実施の形態に係る包装袋１０の開封に際しては、ミシン目３２の切り込み幅を小さくする必要が無くなるので、高齢の消費者などの力の弱い消費者でもミシン目３２から包装袋１０を開封し易くなって、中身のロール状のトイレットペーパー３０を取り出し易くなる。
【００３３】
さらに、力の弱い消費者が開封可能なミシン目とする必要があるのに対して、本実施の形態では、ロール状に形成されたトイレットペーパー３０の軸方向に沿って直線状に伸びるように、ミシン目３２が形成されているだけでなく、このミシン目３２が、トイレットペーパー３０の上端面を覆う包装袋１０の天面領域２８に隣り合った部分から、側面領域２０内に形成されている。
【００３４】
このことから、例えば、トイレットペーパー３０の軸方向に対して交叉する方向にミシン目３２が形成されたり、包装袋１０の側面領域２０の最下部にのみミシン目３２が形成されたりした場合と比較して、必要なミシン目３２の長さＳを容易に確保できるようになる。
【００３５】
この一方、本実施の形態では、ミシン目３２のタイカット比が、好ましくは１：４〜１：１５の範囲の値とされている。つまり、本実施の形態によれば、ミシン目３２のタイカット比を１：４より小さく例えば１：３とした場合には、ミシン目３２を破断し難くなる。他方、ミシン目３２のタイカット比を１：１５より大きく例えば１：２０とした場合には、包装袋１０を持ち運ぶ際にこのミシン目３２の部分から包装袋１０が不用意に破断し易くなる。この為、ミシン目３２のタイカット比の範囲を上記の値の範囲とした。
【００３６】
ここで、このタイカット比が、好ましくは１：４〜１：１５の範囲の値とされる理由を具体的に説明する。つまり、下記の表１に示す１：１〜１：２０までの各タイカット比としたミシン目３２をそれぞれ有したサンプルをまず作成した。
【００３７】
そして、これらサンプルに関して、トイレットペーパー３０が収納された状態で包装袋１０を例えば１０分間程度持ち運ぶことで、包装袋１０を持ち運ぶ際においてミシン目３２から不用意に破断しないかの試験を行い、これを「強度」として表わし、試験結果が、問題なければ「○」とし、ミシン目３２から破れてしまって問題有りとされれば「×」とした。
【００３８】
他方、包装袋１０のミシン目３２からの開封し易さを試験した結果を「開封し易さ」として表わし、この開封し易さの試験結果が、非常に開け易ければ「◎」とし、開け易ければ「○」とし、開け難ければ「△」とし、非常に開け難ければ「×」とした。
【００３９】
【表１】
0005518415.tif 000002
【００４０】
この表１に示される試験結果によれば、タイカット比Ｔ：Ｌが１：４より小さい１：３以下の場合には、Ｔが相対的に大きくなり過ぎるのに伴い、ミシン目３２から非常に開封し難くなり、また、タイカット比Ｔ：Ｌが１：１５より大きい１：２０以上の場合には、Ｌが相対的に大きくなり過ぎるのに伴い、ミシン目３２から破れてしまったため、上記のタイカット比を１：４〜１：１５とする範囲の値が良いことが確認された。
【００４１】
尚、上記実施の形態では、被収納物をトイレットペーパーとしたが、キッチンペーパーとしても良く、類似形態の他のロール状の物品であっても良い。また、上記実施の形態の包装袋を構成する包装材としては、ポリエチレン製のものを採用したが、ポリプロピレンやポリエチレンテレフタレート等のプラスチック製の材料である合成樹脂材料を採用しても良い。そして、上記実施の形態では、ミシン目を前面のみに形成したが背面にもミシン目を形成しても良い。
【００４２】
さらに、上記実施の形態では、トイレットペーパーが４個ずつ３段に重ねられて１２個だけ収納されていたが、トイレットペーパーを他の８個、１６個あるいはそれ以外の個数としても良い。つまり、同一平面内において外周面同士が接するように、一段当たり２個以上収納されていれば良く、例えば２個ずつ３段に重ねられて６個としたり、或いは他の２段、４段あるいはそれ以上の段数に積み重ねて、他の個数収納するようにしたりしても良い。但し、この場合には、トイレットペーパーが増えれば、被収納物の重量も増えることから、上記実施の形態に対して、包装材の厚み、ミシン目の長さ及びタイカット比等を変更することが、例えば考えられる。
【産業上の利用可能性】
【００４３】
本発明は、トイレットペーパーやキッチンペーパー等の衛生用品全般の収納に利用できるものである。
【符号の説明】
【００４４】
１０      包装袋
２０      側面領域
２４      取手部
２８      天面領域
３０      トイレットペーパー（被収納物）
３０Ａ    外周面
３２      ミシン目
Ｃ      ロール非接触部
【図１】
0005518415.tif 000003
【図２】
0005518415.tif 000004
【図３】
0005518415.tif 000005
【図４】
0005518415.tif 000006